(57)【要約】【課題】調整作業を行うことなく、水平偏向磁界により垂直偏向コイルに誘導される電流成分を正確に打ち消すことができるとともに往路および復路の走査線を正確に平行にすることが可能な垂直偏向回路およびそれを用いた映像表示装置を提供する。【解決手段】クロストーク／階段波分割回路７は、垂直偏向電流波形ＳＶＩをクロストーク成分ＣＲおよび階段波成分ＳＴに分割する。平行化補正回路３０は、階段波成分ＳＴに基づいて平行化補正ゲイン制御回路９およびＤ／Ａ変換器１０により得られた第２ののこぎり波電流ＨＩを垂直偏向電流ＳＩに重畳する。クロストーク補正回路２０は、クロストーク成分ＣＲに基づいてクロスキャンセル位相ゲイン制御回路８、波形処理部１８およびＤ／Ａ変換器１９により得られたクロスキャンセル電流ＣＩ２を垂直偏向電流ＳＩに重畳する。【選択図】        図２
2004282521.tif 000002
【特許請求の範囲】
【請求項１】
水平偏向コイルにより電子ビームを水平方向に往復偏向する際に電子ビームを垂直方向に偏向する垂直偏向回路であって、
垂直偏向コイルと、
垂直走査周期で略のこぎり波状に変化しかつ水平走査周期で階段状に変化する垂直偏向電流を発生して前記垂直偏向コイルに供給する垂直偏向電流供給手段と、
前記垂直偏向コイルに流れる垂直偏向電流の波形を垂直偏向電流波形として検出する電流波形検出手段と、
前記電流波形検出手段により検出された垂直偏向電流波形を水平走査周期に相当する段差を有する階段波成分と前記水平偏向コイルからの水平偏向磁界により重畳されるクロストーク成分とに分割する波形分割手段と、
前記波形分割手段により得られるクロストーク成分が所定値以下となるように前記垂直偏向電流供給手段により発生される垂直偏向電流を修正する修正手段と、
前記波形分割手段により得られる階段波成分の各段差の略水平部が水平になるように前記垂直偏向電流供給手段により発生される垂直偏向電流を補正する補正手段とを備えたことを特徴とする垂直偏向回路。
【請求項２】
前記波形分割手段は、
前記波形検出手段により得られる垂直偏向電流波形を１水平走査周期分および２水平走査周期分遅延させる遅延手段と、
前記波形検出手段により得られる垂直偏向電流波形ならびに前記遅延手段により１水平走査周期分および２水平走査周期分遅延された垂直偏向電流波形を用いて前記階段波成分および前記クロストーク成分を抽出する抽出手段とを含むことを特徴とする請求項１記載の垂直偏向回路。
【請求項３】
前記修正手段は、
前記波形分割手段により得られるクロストーク成分が所定値以下となるように前記クロストーク成分を相殺するための修正電流を発生して前記垂直偏向電流供給手段により供給される垂直偏向電流に重畳させる修正電流発生手段を含むことを特徴とする請求項１または２記載の垂直偏向回路。
【請求項４】
前記修正電流発生手段は、
前記水平偏向コイルから発生される水平偏向磁界の波形を検出する磁界波形検出手段と、
前記磁界波形検出手段により検出された波形に基づいて修正波形を生成する修正波形生成手段と、
前記修正波形生成手段により生成された修正波形に対応する前記修正電流を前記垂直偏向電流に重畳させる修正電流重畳手段とを含むことを特徴とする請求項３記載の垂直偏向回路。
【請求項５】
前記修正電流発生手段は、
前記波形分割手段により得られるクロストーク成分が所定値以下となるように前記修正波形生成手段により生成される修正波形の振幅および位相を調整する振幅位相調整手段をさらに含むことを特徴とする請求項４記載の垂直偏向回路。
【請求項６】
前記振幅位相調整手段は、
前記修正波形生成手段により生成される修正波形と前記波形分割手段により得られるクロストーク成分との差分を算出し、前記修正波形の振幅値が０となる位相および前記修正波形の振幅の絶対値が最大となる位相での前記差分が所定値以下となるように前記修正波形生成手段により生成される修正波形の振幅および位相を調整することを特徴とする請求項５記載の垂直偏向回路。
【請求項７】
前記垂直偏向電流供給手段は、
垂直走査周期で変化する第１ののこぎり波電流を前記垂直偏向コイルに供給する第１の電流供給手段と、
往路および復路の走査線を平行化するために水平走査周期で変化する第２ののこぎり波電流を前記垂直偏向コイルに供給する第２の電流供給手段とを含み、
前記補正手段は、
前記波形分割手段により得られる階段波成分の各段差の略水平部が水平になるように前記第２の電流供給手段により供給される第２ののこぎり波の振幅を補正する振幅補正手段を含むことを特徴とする請求項１〜６のいずれかに記載の垂直偏向回路。
【請求項８】
前記振幅補正手段は、
往路および復路の走査線の所定位置に対応する位置での前記階段波成分の各段差の略水平部の値を用いて前記階段波成分の各段差の略水平部が水平であるか否かを判別し、判別結果に基づいて前記第２の電流供給手段により供給される第２ののこぎり波の振幅を補正することを特徴とする請求項７記載の垂直偏向回路。
【請求項９】
電子ビームを水平方向に往復偏向することにより映像を表示する映像表示装置であって、
映像信号に基づく電子ビームを画面に照射することにより画面に映像を表示する表示手段と、
水平偏向コイルを含み、前記電子ビームを水平方向に往復偏向するために前記水平偏向コイルに水平走査周期の２倍の周期で変化する水平偏向電流を供給する水平偏向回路と、
前記電子ビームを垂直方向に偏向する垂直偏向回路と、
垂直偏向コイルと、
垂直走査周期で略のこぎり波状に変化しかつ水平走査周期で階段状に変化する垂直偏向電流を発生して前記垂直偏向コイルに供給する垂直偏向電流供給手段と、
前記垂直偏向コイルに流れる垂直偏向電流の波形を垂直偏向電流波形として検出する電流波形検出手段と、
前記電流波形検出手段により検出された垂直偏向電流波形を水平走査周期に相当する段差を有する階段波成分と前記水平偏向コイルからの水平偏向磁界により重畳されるクロストーク成分とに分割する波形分割手段と、
前記波形分割手段により得られるクロストーク成分が所定値以下となるように前記水平偏向電流供給手段により発生される垂直偏向電流を修正する修正手段と、
前記波形分割手段により得られる階段波成分の各段差の略水平部が水平になるように前記水平偏向電流供給手段により発生される垂直偏向電流を補正する補正手段とを含むことを特徴とする映像表示装置。
【発明の詳細な説明】
【０００１】
【発明の属する技術分野】
本発明は、電子ビームを往復走査する水平往復偏向方式の垂直偏向回路および映像表示装置に関する。
【０００２】
【従来の技術】
テレビジョン受像機等の表示装置の分野において、高解像度の表示を行うために電子ビームを往復走査する水平往復偏向方式の偏向装置が提案されている。
【０００３】
図１１は、往復偏向方式を示す図である。図１１においては、往路の走査線が実線で示され、復路の走査線が破線で示されている。往路の走査時には、電子ビームが画面の左側から右側へ向かって走査され、復路の走査時には、電子ビームが画面の右側から左側へ向かって走査される。
【０００４】
垂直同期信号に同期したのこぎり波の垂直偏向電流を用いて垂直偏向を行った場合には、図１１（ａ）に示すように、往路の走査線は画面の左側から右側に向かってやや斜め下方に形成され、復路の走査線は画面の右側から左側に向かってやや斜め下方に形成される。この場合、画質を向上させるためには、図１１（ｂ）に示すように、往路の走査線と復路の走査線とを平行にする必要がある。
【０００５】
図１２は、往路の走査線と復路の走査線とを平行化するための垂直偏向電流を説明する波形図である。図１２（ａ）は垂直走査周期で変化する第１ののこぎり波電流を示し、図１２（ｂ）は、水平走査周期で変化する第２ののこぎり波電流を示し、図１２（ｃ）は、垂直偏向電流を示す。図１２において、１Ｖは１垂直走査期間を示し、１Ｈは１水平走査期間を示す。
【０００６】
垂直走査周期で変化する図１２（ａ）の第１ののこぎり波電流と水平走査周期で変化する図１２（ｂ）の第２ののこぎり波電流とを重畳することにより、図１２（ｃ）に示す垂直偏向電流が得られる。図１２（ｃ）の垂直偏向電流は、水平走査周期で階段状に変化する。
【０００７】
このように、図１２（ｂ）の第２ののこぎり波電流を図１２の（ａ）の第１ののこぎり波電流に重畳することにより図１１（ｂ）に示すように往路の走査線および復路の走査線が水平に補正される（例えば、特許文献１参照）。
【０００８】
ところが、図１２（ｃ）に示す垂直偏向電流を垂直偏向コイルに供給し、水平偏向電流を水平偏向コイルに供給すると、走査線が歪む場合がある。これは、水平偏向コイルから垂直偏向コイルに水平偏向電流による電流成分が誘導されるためである。この電流成分が垂直偏向電流に重畳されると走査線が歪み、表示される画像が歪む。
【０００９】
従来の偏向装置においては、水平偏向電流により水平偏向コイルから垂直偏向コイルに誘導されて流れる電流成分を打ち消すために、次の方法が提案されている（例えば、特許文献２参照）。垂直偏向コイルに直列にトランスを接続し、水平偏向コイルに流れる水平偏向電流に対して１８０度位相のずれたキャンセル電流をトランスを介して垂直偏向コイルに供給する。それにより、垂直偏向コイルに誘導された電流成分が打ち消される。
【００１０】
【特許文献１】
特開平３−１４５３７８号公報
【特許文献２】
特開２００１−０２８６９６号公報
【００１１】
【発明が解決しようとする課題】
しかしながら、各映像表示装置ごとに特性が異なるため、水平偏向磁界により垂直偏向コイルに誘導される電流成分を正確に打ち消すためには、映像表示装置ごとにキャンセル電流の波形を正確に調整する必要があり、また、往路および復路の走査線が正確に平行になるように、映像表示装置ごとに水平走査周期で変化するのこぎり波電流の振幅を正確に調整する必要がある。そのため、映像表示装置を製造する際の調整作業に時間および労力が必要となる。
【００１２】
本発明の目的は、調整作業を行うことなく、水平偏向磁界により垂直偏向コイルに誘導される電流成分を正確に打ち消すことができるとともに往路および復路の走査線を正確に平行にすることが可能な垂直偏向回路およびそれを用いた映像表示装置を提供することである。
【００１３】
【課題を解決するための手段】
本発明に係る垂直偏向回路は、水平偏向コイルにより電子ビームを水平方向に往復偏向する際に電子ビームを垂直方向に偏向する垂直偏向回路であって、垂直偏向コイルと、垂直走査周期で略のこぎり波状に変化しかつ水平走査周期で階段状に変化する垂直偏向電流を発生して垂直偏向コイルに供給する垂直偏向電流供給手段と、垂直偏向コイルに流れる垂直偏向電流の波形を垂直偏向電流波形として検出する電流波形検出手段と、電流波形検出手段により検出された垂直偏向電流波形を水平走査周期に相当する段差を有する階段波成分と水平偏向コイルからの水平偏向磁界により重畳されるクロストーク成分とに分割する波形分割手段と、波形分割手段により得られるクロストーク成分が所定値以下となるように垂直偏向電流供給手段により発生される垂直偏向電流を修正する修正手段と、波形分割手段により得られる階段波成分の各段差の略水平部が水平になるように垂直偏向電流供給手段により発生される垂直偏向電流を補正する補正手段とを備えるものである。
【００１４】
本発明に係る垂直偏向回路においては、垂直偏向電流供給手段により発生された垂直走査周期で略のこぎり波状に変化しかつ水平走査周期で階段状に変化する垂直偏向電流が、垂直偏向コイルに供給される。それにより、電子ビームを垂直方向に偏向するための偏向磁界が発生する。垂直偏向コイルに供給される垂直偏向電流は、電流波形検出手段により垂直偏向電流波形として検出される。その後、検出された垂直偏向電流波形は、波形分割手段により水平走査周期に相当する段差を有する階段波成分と水平偏向磁界により重畳されるクロストーク成分とに分割される。修正手段は、クロストーク成分が所定値以下となるように垂直偏向電流供給手段により発生される垂直偏向電流を修正する。一方、補正手段は、階段波成分の各段差の略水平部が水平になるように垂直偏向電流供給手段により発生される垂直偏向電流を補正する。
【００１５】
したがって、調整作業を行うことなく、水平偏向磁界により垂直偏向コイルに誘導される電流成分を正確に打ち消すことができるとともに往路および復路の走査線を正確に平行にすることが可能である。
【００１６】
波形分割手段は、波形検出手段により得られる垂直偏向電流波形を１水平走査周期分および２水平走査周期分遅延させる遅延手段と、波形検出手段により得られる垂直偏向電流波形ならびに遅延手段により１水平走査周期分および２水平走査周期分遅延された垂直偏向電流波形を用いて階段波成分およびクロストーク成分を抽出する抽出手段とを含んでもよい。
【００１７】
この場合、垂直偏向電流波形は、遅延手段により１水平走査周期分および２水平走査周期分遅延された垂直偏向電流波形を用いて階段波成分とクロストーク成分とに分割され、抽出手段により抽出される。したがって、階段波成分およびクロストーク成分に基づいて垂直偏向電流供給手段により発生される垂直偏向電流を修正もしくは補正をすることができる。
【００１８】
修正手段は、波形分割手段により得られるクロストーク成分が所定値以下となるようにクロストーク成分を相殺するための修正電流を発生して垂直偏向電流供給手段により供給される垂直偏向電流に重畳させる修正電流発生手段を含んでもよい。
【００１９】
この場合、垂直偏向電流は、修正電流発生手段が発生した修正電流が重畳されることにより、クロストーク成分が所定値以下となるように修正される。したがって、調整作業を行うことなく水平偏向磁界により垂直偏向コイルに誘導される電流成分が打ち消される。
【００２０】
修正電流発生手段は、水平偏向コイルから発生される水平偏向磁界の波形を検出する磁界波形検出手段と、磁界波形検出手段により検出された波形に基づいて修正波形を生成する修正波形生成手段と、修正波形生成手段により生成された修正波形に対応する修正電流を垂直偏向電流に重畳させる修正電流重畳手段とを含んでもよい。
【００２１】
この場合、磁界波形検出手段により水平偏向磁界の波形が検出され、修正波形生成手段により修正波形が生成され、修正波形に対応する修正電流が垂直偏向電流重畳される。したがって、水平偏向磁界により垂直偏向コイルに誘導される電流成分を打ち消す電流成分を簡単に生成することができる。
【００２２】
修正電流発生手段は、波形分割手段により得られるクロストーク成分が所定値以下となるように修正波形生成手段により生成される修正波形の振幅および位相を調整する振幅位相調整手段をさらに含んでもよい。
【００２３】
この場合、振幅位相調整手段によりクロストーク成分が所定値以下となるように修正波形の振幅および位相が調整される。したがって、調整作業を行うことなく水平偏向磁界により垂直偏向コイルに誘導される電流成分が打ち消される。
【００２４】
振幅位相調整手段は、修正波形生成手段により生成される修正波形と波形分割手段により得られるクロストーク成分との差分を算出し、修正波形の振幅値が０となる位相および修正波形の振幅の絶対値が最大となる位相での差分が所定値以下となるように修正波形生成手段により生成される修正波形の振幅および位相を調整してもよい。
【００２５】
この場合、振幅位相調整手段は、修正波形とクロストーク成分との差分を算出し、修正波形の振幅値が０となる位相および修正波形の振幅の絶対値が最大となる位相での差分が所定値以下となるように修正波形の振幅および位相を調整する。したがって、調整作業を行うことなく水平偏向磁界により垂直偏向コイルに誘導される電流成分が打ち消される。
【００２６】
垂直偏向電流供給手段は、垂直走査周期で変化する第１ののこぎり波電流を垂直偏向コイルに供給する第１の電流供給手段と、往路および復路の走査線を平行化するために水平走査周期で変化する第２ののこぎり波電流を垂直偏向コイルに供給する第２の電流供給手段とを含み、補正手段は、波形分割手段により得られる階段波成分の各段差の略水平部が水平になるように第２の電流供給手段により供給される第２ののこぎり波の振幅を補正する振幅補正手段を含んでもよい。
【００２７】
この場合、第１の電流供給手段により垂直走査周期で変化する第１ののこぎり波電流と第２の電流供給手段により水平走査周期で変化する第２ののこぎり波電流とが垂直偏向コイルに供給される。さらに、振幅補正手段により階段波成分の各段差の略水平部が水平になるように第２ののこぎり波の振幅が補正される。したがって、往路および復路の走査線を正確に平行にすることが可能である。
【００２８】
振幅補正手段は、往路および復路の走査線の所定位置に対応する位置での階段波成分の各段差の略水平部の値を用いて階段波成分の各段差の略水平部が水平であるか否かを判別し、判別結果に基づいて第２の電流供給手段により供給される第２ののこぎり波の振幅を補正してもよい。
【００２９】
この場合、往路および復路の走査線の所定位置に対応する位置での階段波成分の各段差の略水平部の値に応じて、階段波成分の各段差の略水平部が水平になるように第２ののこぎり波の振幅が補正される。したがって、調整作業を行うことなく往路および復路の走査線を正確に平行にすることが可能である。
【００３０】
本発明に係る映像表示装置は、電子ビームを水平方向に往復偏向することにより映像を表示する映像表示装置であって、映像信号に基づく電子ビームを画面に照射することにより画面に映像を表示する表示手段と、水平偏向コイルを含み、電子ビームを水平方向に往復偏向するために水平偏向コイルに水平走査周期の２倍の周期で変化する水平偏向電流を供給する水平偏向回路と、電子ビームを垂直方向に偏向する垂直偏向回路と、垂直偏向コイルと、垂直走査周期で略のこぎり波状に変化しかつ水平走査周期で階段状に変化する垂直偏向電流を発生して垂直偏向コイルに供給する垂直偏向電流供給手段と、垂直偏向コイルに流れる垂直偏向電流の波形を垂直偏向電流波形として検出する電流波形検出手段と、電流波形検出手段により検出された垂直偏向電流波形を水平走査周期に相当する段差を有する階段波成分と水平偏向コイルからの水平偏向磁界により重畳されるクロストーク成分とに分割する波形分割手段と、波形分割手段により得られるクロストーク成分が所定値以下となるように水平偏向電流供給手段により発生される垂直偏向電流を修正する修正手段と、波形分割手段により得られる階段波成分の各段差の略水平部が水平になるように水平偏向電流供給手段により発生される垂直偏向電流を補正する補正手段とを含むものである。
【００３１】
本発明に係る映像表示装置においては、垂直偏向電流供給手段により発生された垂直走査周期で略のこぎり波状に変化しかつ水平走査周期で階段状に変化する垂直偏向電流が、垂直偏向コイルに供給され、電流波形検出手段により垂直電流波形として検出される。その後、検出された垂直電流波形は、波形分割手段により水平走査周期に相当する段差を有する階段波成分と水平偏向磁界により重畳されるクロストーク成分とに分割される。修正手段は、クロストーク成分が所定値以下となるように垂直偏向電流を修正する。一方、補正手段は、階段波成分の各段差の略水平部が水平になるように垂直偏向電流を補正する。したがって、調整作業を行うことなく、水平偏向磁界により垂直偏向コイルに誘導される電流成分を正確に打ち消すことができるとともに往路および復路の走査線を正確に平行にすることが可能である。
【００３２】
また、修正および補正された垂直偏向電流は、垂直偏向コイルに供給され電子ビームが垂直方向に偏向される。水平偏向回路により水平走査周期の２倍の周期で変化する水平偏向電流が水平偏向コイルに供給され、電子ビームが水平方向に往復偏向する。それにより、表示手段の画面に電子ビームが照射され、映像が表示される。したがって、歪みがなく画質の高い映像が表示手段の画面に表示される。
【００３３】
【発明の実施の形態】
図１は、本発明の実施の形態における垂直偏向回路を備えた映像表示装置の構成を示すブロック図である。
【００３４】
図１の映像表示装置は、映像信号処理回路１００、水平偏向回路２００、垂直偏向回路３００およびＣＲＴ（陰極線管）４００を含む。ＣＲＴ４００には水平偏向コイル２５および垂直偏向コイル３が取り付けられている。映像信号処理回路１００は、映像信号ＶＤに基づいて表示信号ＣＳをＣＲＴ４００に与え、水平同期信号ＨＳを水平偏向回路２００および垂直偏向回路３００に与えるとともに垂直同期信号ＶＳを垂直偏向回路３００に与える。
【００３５】
水平偏向回路２００は、映像信号処理回路１００から与えられる水平同期信号ＨＳに同期して、ＣＲＴ４００において電子ビームを水平方向に往復偏向するために水平偏向電流ＷＩを水平偏向コイル２５に供給する。
【００３６】
垂直偏向回路３００は、映像信号処理回路１００から与えられる水平同期信号ＨＳおよび垂直同期信号ＶＳに同期して、ＣＲＴ４００において電子ビームを垂直方向に偏向するために後述する垂直偏向電流ＳＩを垂直偏向コイル３に供給する。
【００３７】
図２は、本発明の実施の形態における垂直偏向回路３００の詳細な構成を示すブロック図である。また、図３は、図２の垂直偏向回路３００の動作を説明するための各部の波形図である。図３において、Ｈは水平走査周期を表し、Ｖは垂直走査周期を表す。
【００３８】
図２に示すように、垂直偏向回路３００は、のこぎり波電圧発生回路１、増幅器２、垂直偏向コイル３、垂直電流検出センサ４、サンプルフォールド回路５、Ａ／Ｄ変換器（アナログ／デジタル変換器）６、クロストーク／階段波分割回路７、クロスキャンセル位相ゲイン制御回路８、平行化補正ゲイン制御回路９、Ｄ／Ａ変換器（デジタル／アナログ変換器）１０、水平電流検出センサ１５、積分回路１６、Ａ／Ｄ変換器（アナログ／デジタル変換器）１７、波形処理部１８、Ｄ／Ａ変換器（デジタル／アナログ変換器）１９、クロストーク補正回路２０、平行化補正回路３０、帰還回路２６および抵抗２７により構成される。
【００３９】
のこぎり波電圧発生回路１は、図３（ａ）に示す垂直同期信号ＶＳに同期して、のこぎり波状の垂直偏向電圧ＶＡを発生し、その垂直偏向電圧ＶＡを増幅器２の一方の入力端子に与える。増幅器２は、与えられた垂直偏向電圧ＶＡに応じて図３（ｂ）に示す第１ののこぎり波電流ＶＩを垂直偏向コイル３に供給する。
【００４０】
増幅器２の出力端子は、垂直偏向コイル３、トランス１１の二次巻線およびトランス２１の二次巻線を介してノードＮ１に接続されている。ノードＮ１は抵抗２７を介して接地端子に接続されている。また、ノードＮ１は帰還回路２６を介して増幅器２の他方の入力端子に接続されている。
【００４１】
一方、平行化補正回路３０は、トランス１１、ドライブトランジスタ１２、ダンパダイオード１３、共振容量１４および駆動パルス発生回路２８により構成される。
【００４２】
駆動パルス発生回路２８は、水平同期信号ＨＳに同期して図３（ｃ）に示す駆動パルスＨＤを発生する。ドライブトランジスタ１２は、図３（ｃ）に示す駆動パルスＨＤに応答してオンおよびオフする。この駆動パルスＨＤは水平走査周期Ｈで変化する。それにより、トランス１１の１次巻線に水平走査同期Ｈで変化する電流が流れ、２次巻線に水平走査周期Ｈで変化する図３（ｄ）に示す第２ののこぎり波電流ＨＩが誘導される。
【００４３】
これにより、第１ののこぎり波電流ＶＩに第２ののこぎり波電流ＨＩが重畳された図３（ｅ）に示す垂直偏向電流ＳＩが垂直偏向コイル３に供給され、垂直偏向電流ＳＩに従って垂直走査周期Ｖでのこぎり波状に変化しかつ水平走査周期Ｈで階段状に変化する垂直偏向磁界が発生する。
【００４４】
一方、図１の水平偏向コイル２５には図３（ｆ）に示す水平偏向電流ＷＩが流れる。水平偏向電流ＷＩは、水平走査周期Ｈの２倍の周期を有する。水平偏向コイル２５は、水平偏向電流ＷＩにより水平偏向磁界を発生し、電子ビームを水平方向に往復偏向する。このとき、水平偏向コイル２５に流れる水平偏向磁界により垂直偏向コイル３に電流成分（以下、クロストーク成分と称する）が誘導される。その結果、図３（ｅ）に示す垂直偏向電流ＳＩは破線で示すように歪む。
【００４５】
一方、図２の垂直電流検出センサ４により垂直偏向電流ＳＩに比例する電流（以下、検出電流と呼ぶ）ＤＶＩが検出され、サンプルフォールド回路５に与えられる。サンプルフォールド回路５における詳細については後述する。サンプルフォールド回路５は、検出電流ＤＶＩに基づく入力電圧Ｖ１をサンプリングし、出力電圧Ｖ２をＡ／Ｄ変換器６に与える。Ａ／Ｄ変換器６は、与えられた出力電圧Ｖ２をデジタル信号に変換し、そのデジタル信号を垂直偏向電流波形ＳＶＩとしてクロストーク／階段波分割回路７に与える。
【００４６】
クロストーク／階段波分割回路７は、垂直偏向電流波形ＳＶＩをクロストーク成分ＣＲおよび階段波成分ＳＴに分割し、クロストーク成分ＣＲをクロスキャンセル位相ゲイン制御回路８に与えるとともに、階段波成分ＳＴを平行化補正ゲイン制御回路９に与える。クロスキャンセル位相ゲイン制御回路８および平行化補正ゲイン制御回路９の詳細な動作については後述する。
【００４７】
平行化補正ゲイン制御回路９は、クロストーク／階段波分割回路７から与えられる階段波成分ＳＴに基づいて平行化補正デジタル信号ＰＬをＤ／Ａ変換器１０に与える。Ｄ／Ａ変換器１０は与えられた平行化補正デジタル信号ＰＬをアナログ電圧ＰＡに変換し、トランス１１の１次巻線の一端に与える。それにより、トランス１１の２次巻線に誘導される第２ののこぎり波電流ＨＩの振幅が補正される。
【００４８】
水平電流検出センサ１５により水平偏向電流ＷＩに比例する電流（以下、検出電流と呼ぶ）ＤＥＩが検出され、積分回路１６に与えられる。積分回路１６は、検出電流ＤＥＩを検出電圧に変換し、その検出電圧をＡ／Ｄ変換器１７に与える。Ａ／Ｄ変換器１７は、検出電圧をデジタル信号に変換し、そのデジタル信号を水平偏向電流波形ＤＥＨとして波形処理部１８に与える。
【００４９】
クロスキャンセル位相ゲイン制御回路８は、クロストーク／階段波分割回路７により与えられるクロストーク成分ＣＲに基づいて位相制御信号ＰＣおよびゲイン制御信号ＧＣを波形処理部１８に与える。
【００５０】
波形処理部１８は、メモリおよびＣＰＵ（中央演算処理装置）から構成される。メモリには、Ａ／Ｄ変換器１７から与えられた水平偏向電流波形ＤＥＨが記憶される。ＣＰＵは、メモリに記憶される水平偏向電流波形ＤＥＨを用いて、クロスキャンセル位相ゲイン制御回路８から与えられる位相制御信号ＰＣおよびゲイン制御信号ＣＧに基づいてクロストーク成分ＣＲを打ち消すためのクロスキャンセル成分ＣＡを生成し、Ｄ／Ａ変換器１９に与える。
【００５１】
Ｄ／Ａ変換器１９は、クロスキャンセル成分ＣＡをアナログのクロスキャンセル電圧ＣＶに変換し、クロストーク補正回路２０に与える。クロストーク補正回路２０は、トランス２１、増幅器２２、帰還回路２３および抵抗２４により構成される。
【００５２】
クロストーク補正回路２０の増幅器２２は、Ｄ／Ａ変換器１９より与えられたクロスキャンセル電圧ＣＶを増幅してクロスキャンセル電流ＣＩ１をトランス２１の１次巻線に与える。これにより、トランス２１の２次巻線に流れる図３（ｅ）に破線で示す歪んだ垂直偏向電流ＳＩにクロスキャンセル電流ＣＩ２が重畳される。その結果、破線で示す垂直偏向電流ＳＩの歪みが打ち消され、実線で示す波形になる。
【００５３】
図４は、サンプルフォールド回路５の構成および動作を説明する図である。図４（ａ）は、サンプルフォールド回路５の構成を示す回路図であり、図４（ｂ）は、サンプルフォールド回路５の入力電圧Ｖ１の波形図であり、図４（ｃ）は、図４（ａ）のスイッチ５ａに与えられる制御信号ＣＳの波形図であり、図４（ｄ）は、サンプルフォールド回路５の出力電圧Ｖ２の波形図である。
【００５４】
図４（ａ）に示すように、サンプルフォール回路５は、スイッチ５ａ、コンデンサ５ｂおよび減算器５ｃにより構成される。ノードＮ２は減算器５ｃの一方の入力端子に接続されるとともに、スイッチ５ａを介してノードＮ３に接続されている。ノードＮ３はコンデンサ５ｂを介して接地端子に接続されるとともに、減算器５ｃの他方の入力端子に接続されている。スイッチ５ａには制御信号ＣＳが与えられる。
【００５５】
図２の垂直電流検出センサ４から与えられる検出電流ＤＶＩによりサンプルフォールド回路５のノードＮ１の入力電圧Ｖ１は図４（ｂ）に示すように階段状に変化する。図４（ａ）のスイッチ５ａは図４（ｃ）に示す制御信号ＣＳに応答して４水平走査周期（４Ｈ）ごとに一定時間ずつオンする。それにより、図４（ａ）のコンデンサ５ｂはノードＮ２の入力電圧Ｖ１を４水平走査期間ごとに保持する。
【００５６】
減算器５ｃの一方の入力端子にはノードＮ２の階段状の電圧が与えられる。図４（ｂ）に示す時点ｔ１でスイッチ５ａが一定時間オンすると、コンデンサ５ｂは時点ｔ１での入力電圧Ｖａを保持して減算器５ｃの他方の入力端子に与える。減算器５ｃは、時点ｔ１から４水平走査周期分の階段状の電圧Ｓａからコンデンサ５ｂにより与えられた電圧Ｖａを減算して出力する。次に、４水平走査周期後の時点ｔ２でスイッチ５ａが一定時間オンすると、コンデンサ５ｂは時点ｔ２での入力電圧Ｖｂを保持して減算器５ｃの他方の入力端子に与える。減算器５ｃは、時点ｔ２から４水平走査周期分の階段状の電圧Ｓｂからコンデンサ５ｂにより与えられた電圧Ｖｂを減算して出力する。それにより、図４（ｄ）に示すように、Ａ／Ｄ変換器６には、４水平走査周期ごとに分割された階段状の出力電圧Ｖ２が与えられる。
【００５７】
次に、図５および図６を用いてクロストーク／階段波分割回路７の構成および動作を説明する。図５は、クロストーク／階段波分割回路７の詳細な構成を示すブロック図である。また、図６は、図５のクロストーク／階段波分割回路７の動作を示す各部の波形図である。図６において、横軸は時間を表し、縦軸は電流を表す。縦軸の番号はラスタ（走査線）の番号に相当する。
【００５８】
図５において、第１の遅延回路３５には、図２のＡ／Ｄ変換器６から垂直偏向電流波形ＳＶＩが与えられる。垂直偏向電流波形ＳＶＩは、図６（ｂ）の階段波成分ＳＴに図６（ｃ）のクロストーク成分ＣＲが重畳されたものである。
【００５９】
第１の遅延回路３５は、垂直偏向電流波形ＳＶＩを１水平走査周期分遅延させ、図６（ｄ）に示す１水平遅延垂直偏向電流波形ＳＶＩ１を第２の遅延回路３６および差分回路３９に与える。１水平遅延垂直偏向電流波形ＳＶＩ１は、図６（ｅ）に示す階段波成分ＳＴ１に図６（ｆ）に示すクロストーク成分ＣＲ１が重畳されたものである。
【００６０】
一方、差分回路３９は、Ａ／Ｄ変換器６から与えられた垂直偏向電流波形ＳＶＩから１水平遅延垂直偏向電流波形ＳＶＩ１を減算し、図６（ｊ）に示す垂直偏向電流波形ＳＶＩ３を、差分回路４０に与える。垂直偏向電流波形ＳＶＩ３は図６（ｋ）に示す−１ラスタに相当する電流成分波形に、図６（ｌ）に示すクロストーク成分ＣＲ３が重畳されたものである。
【００６１】
第２の遅延回路３６は、第１の遅延回路から与えられた１水平遅延垂直偏向電流波形ＳＶＩ１をさらに１水平走査周期分遅延させ、図６（ｇ）に示す２水平遅延垂直偏向電流波形ＳＶＩ２を差分回路３７に与える。２水平遅延垂直偏向電流波形ＳＶＩ２は、図６（ｈ）に示す階段状成分ＳＴ２に図６（ｉ）に示すクロストーク成分ＣＲ２が重畳されたものである。
【００６２】
差分回路３７は、垂直偏向電流波形ＳＶＩから２水平遅延垂直偏向電流波形ＳＶＩ２を減算し、図６（ｍ）に示す−２ラスタに相当する電流成分波形ＳＶＩ４を演算回路３８に与える。−２ラスタに相当する電流成分波形ＳＶＩ４は、図６（ｎ）に示す−２ラスタに相当する電流成分波形ＳＴ４に図６（ｏ）に示す０レベルの電流成分波形ＣＲ４が重畳されたものである。
【００６３】
演算回路３８は、電流成分波形ＳＶＩ４の振幅を２分の１に減衰させ、図６（ｋ）の電流成分波形ＳＴ３と同様の−１ラスタに相当する電流成分波形ＳＶＩ５を差分回路４０に与える。
【００６４】
差分回路４０は、垂直偏向電流波形ＳＶＩ３から電流成分波形ＳＶＩ５を減算し、図６（ｌ）の電流成分波形ＣＲ３と同様の２倍のクロストーク成分ＣＲ５を演算回路４１に与える。演算回路４１は、２倍のクロストーク成分ＣＲ５の振幅を２分の１に減衰させ、垂直偏向電流ＳＶＩのクロクトーク成分ＣＲを出力する。さらに、差分回路４２は垂直偏向電流波形ＳＶＩからクロストーク成分ＣＲを減算し、垂直偏向電流波形ＳＶＩの階段波成分ＳＴを出力する。
【００６５】
図７は、クロスキャンセル位相ゲイン制御回路８の動作を説明するための各部の波形図である。図７（ａ）はクロストーク／階段波分割回路７から出力されるクロストーク成分ＣＲであり、図７（ｂ）は波形処理部１８から出力されるクロスキャンセル成分ＣＡであり、図７（ｃ）は残留クロストーク成分ＲＣである。図７の横軸は位相であり、縦軸は振幅である。
【００６６】
クロスキャンセル成分ＣＡは、クロストーク成分ＣＲを打ち消すために図２の波形処理部１８から出力される。残留クロストーク成分ＲＣはクロストーク成分ＣＲにクロスキャンセル成分ＣＡを加算した後に残る成分である。
【００６７】
クロストーク成分ＣＲがクロスキャンセル成分ＣＡによって完全に打ち消されれば、残留クロストーク成分ＲＣは０となるが、クロスキャンセル成分ＣＡの位相または振幅がクロストーク成分ＣＲと異なると残留クロストーク成分ＲＣが生じる。
【００６８】
ここで、図７に示すように、クロストーク成分ＣＲの値が０になる位相をゼロクロス点Ｐ１，Ｐ３と呼び、クロストーク成分ＣＲの振幅が最大になる位相Ｐ２をマックス点と呼ぶ。
【００６９】
図８は、クロスキャンセル位相ゲイン制御回路８の動作を示すフローチャートである。図２、図７および図８を用いてクロスキャンセル位相ゲイン制御回路８の動作を説明する。
【００７０】
まず、クロスキャンセル位相ゲイン制御回路８は、図７の残留クロストーク成分ＲＣの振幅に対するしきい値ＴＨＲ１を設定する（ステップＳ１）。ここで、しきい値ＴＨＲ１は、クロストーク成分ＣＲのゼロクロス点Ｐ１，Ｐ３およびマックス点Ｐ２において、クロストーク成分ＣＲが除去されたとみなされる残留クロストーク成分ＲＣの振幅の許容値である。したがって、クロストーク成分ＣＲのゼロクロス点Ｐ１，Ｐ３における残留クロストーク成分ＲＣの振幅の絶対値およびマックス点Ｐ２における残留クロストーク成分ＲＣの振幅の絶対値がしきい値ＴＨＲ１よりも小さい場合には、クロストーク成分ＣＲが除去されたものとみなされる。
【００７１】
次に、クロスキャンセル位相ゲイン制御回路８は、クロストーク成分ＣＲのゼロクロス点Ｐ１，Ｐ３およびマックス点Ｐ２を検出する（ステップＳ２）。
【００７２】
次いで、クロスキャンセル位相ゲイン制御回路８は、クロストーク成分ＣＲのゼロクロス点Ｐ１，Ｐ３における残留クロストーク成分ＲＣの振幅の絶対値がしきい値ＴＨＲ１以上であるか否かを判別する（ステップＳ３）。
【００７３】
クロストーク成分ＣＲのゼロクロス点Ｐ１，Ｐ３における残留クロストーク成分ＲＣの振幅の絶対値がしきい値ＴＨＲ１以上である場合、クロスキャンセル位相ゲイン制御回路８は、クロスキャンセル成分ＣＡの位相を１クロック分シフトさせる位相制御信号ＰＣを図２の波形処理部１８に与え（ステップＳ５）、ステップＳ３に戻る。ここで、１クロックとは、クロック信号の１パルスに相当する位相をいう。
【００７４】
ステップＳ３において、クロストーク成分ＣＲのゼロクロス点Ｐ１，Ｐ３における残留クロストーク成分ＲＣの振幅の絶対値がしきい値ＴＨＲ１よりも小さい場合、クロスキャンセル位相ゲイン制御回路８は、クロストーク成分ＣＲのマックス点Ｐ２における残留クロストーク成分ＲＣの振幅の絶対値がしきい値ＴＨＲ１以上であるか否かを判別する（ステップＳ４）。
【００７５】
クロストーク成分ＣＲのマックス点Ｐ２における残留クロストーク成分ＲＣの振幅の絶対値がしきい値ＴＨＲ１以上である場合、クロスキャンセル位相ゲイン制御回路８は、クロスキャンセル成分ＣＡの振幅を１ステップ分変化させるゲイン制御信号ＧＣを図２の波形処理部１８に与え（ステップＳ６）、ステップＳ３に戻る。
【００７６】
ステップＳ４において、クロストーク成分ＣＲのマックス点Ｐ２における残留クロストーク成分ＲＣの振幅の絶対値がしきい値ＴＨＲ１よりも小さい場合、クロスキャンセル位相ゲイン制御回路８は、ステップＳ３に戻り、ステップＳ３〜Ｓ６の処理を繰り返す。
【００７７】
以上のように、クロストーク成分制御回路８は、クロストーク成分ＣＲのゼロクロス点Ｐ１，Ｐ３における残留クロストーク成分ＲＣの振幅の絶対値およびマックス点Ｐ２における残留クロストーク成分ＲＣの振幅の絶対値がしきい値ＴＨＲ１より小さくなるようにクロスキャンセル成分ＣＡの位相および振幅を制御するための位相制御信号ＰＣおよびゲイン制御信号ＧＣを波形処理部１８に与える。
【００７８】
波形処理部１８は、Ｄ／Ａ変換器１７から与えられる水平偏向電流波形ＤＥＨに基づいてクロスキャンセル成分ＣＡを生成するとともに、クロスキャンセル位相ゲイン制御回路８から与えられる位相制御信号ＰＣおよびゲイン制御信号ＧＣに基づいてクロスキャンセル成分ＣＡの位相および振幅を制御する。それにより、残留クロストーク成分ＲＣがしきい値ＴＨＲ１よりも小さくなる。
【００７９】
図９は、図２の平行化補正ゲイン制御回路９における平行化補正を説明するための図である。図９（ａ）は、クロストーク／階段波分割回路７から与えられる階段波成分ＳＴであり、図９（ｂ）〜（ｄ）は、往復走査における走査線を示す図である。
【００８０】
図２の平行化補正回路３０により発生された図３（ｄ）の第２ののこぎり波電流ＨＩの振幅が適正である場合、図９（ａ）に実線で示すように階段波成分ＳＴが水平となり、図９（ｃ）に示すように往路および復路の走査線は水平に形成される。第２ののこぎり波電流ＨＩの振幅が小さい場合、図９（ａ）に破線で示すように階段波成分ＳＴが斜め下方に傾斜し、図９（ｂ）に示すように往路および復路の走査線は斜め下方に形成される。第２ののこぎり波電流ＨＩの振幅が大きい場合、図９（ａ）に一点鎖線で示すように階段波成分ＳＴが斜め上方に傾斜し、図９（ｄ）に示すように往路および復路の走査線は斜め上方に形成される。
【００８１】
ここで、図９（ｂ）〜（ｄ）に示すように、往路および復路の走査線における水平方向における所定の位置に判定位置ＰＯＳ１，ＰＯＳ２，ＰＯＳ３を設定する。また、判定位置ＰＯＳ１，ＰＯＳ２，ＰＯＳ３における階段波成分ＳＴの値をそれぞれＩ１，Ｉ２，Ｉ３とする。
【００８２】
第２ののこぎり波電流ＨＩの振幅が適正である場合、図９（ｃ）に示すように、各走査線は水平になり、走査線が平行に形成される。したがって、階段波成分ＳＴの値Ｉ１，Ｉ２，Ｉ３は比例関係になり、値Ｉ２の２倍が値（Ｉ１＋Ｉ３）に等しくなる。
【００８３】
第２ののこぎり波電流ＨＩの振幅が小さい場合、図９（ｂ）に示すように、各走査線は斜め下方に傾斜するため平行にならず、値Ｉ２の２倍よりも値（Ｉ１＋Ｉ３）が大きくなる。
【００８４】
第２ののこぎり波電流ＨＩの振幅が大きい場合、図９（ｄ）に示すように、各走査線は斜め上方に傾斜するため平行にならず、値Ｉ２の２倍よりも値（Ｉ１＋Ｉ３）が小さくなる。
【００８５】
図１０は、図２の平行化補正ゲイン制御回路９の動作を示すフローチャートである。図２、図９および図１０を用いて平行化補正ゲイン制御回路９の動作を説明する。
【００８６】
図２の平行化補正ゲイン制御回路９は、クロストーク／階段波分割回路７から与えられた階段波成分ＳＴにおいて、水平走査期間における判定位置ＰＯＳ１，ＰＯＳ２，ＰＯＳ３およびしきい値ＴＨＲ２を設定する（ステップＳ１０）。
【００８７】
ここでは、判定位置ＰＯＳ１，ＰＯＳ２，ＰＯＳ３は図９に示すように各走査線の左側とする。しきい値ＴＨＲ２は、階段波成分ＳＴが水平に補正されたとみなされる許容値である。また、次式のように判定値Ｘを設定する。
【００８８】
Ｘ＝Ｉ２−（Ｉ１＋Ｉ３）／２
次に、平行化補正ゲイン制御回路９は、判定位置ＰＯＳ１，ＰＯＳ２，ＰＯＳ３における階段波成分ＳＴの値Ｉ１，Ｉ２，Ｉ３に基づいて判定値Ｘが正のしきい値ＴＨＲ２より大きいか否かを判別する（ステップＳ１１）。
【００８９】
判定値Ｘが正のしきい値ＴＨＲ２よりも大きい場合、平行化補正ゲイン制御回路９は、平行化補正デジタル信号ＰＬの値を減少させ（ステップＳ１３）、ステップＳ１１に戻る。この場合、平行化補正ゲイン制御回路９は、平行化補正デジタル信号ＰＬを図２のＤ／Ａ変換器１０に与える。Ｄ／Ａ変換器１０は、与えられた平行化デジタル信号ＰＬをアナログ電圧ＰＡに変換し、平行化補正回路３０に与える。それにより、第２ののこぎり波電流ＨＩの振幅が減少する。
【００９０】
ステップＳ１１において、判定値Ｘが正のしきい値ＴＨＲ２以下の場合、平行化補正ゲイン制御回路９は、判定値Ｘが負のしきい値−ＴＨＲ２より小さいか否かを判別する（ステップＳ１２）。
【００９１】
判定値Ｘが負のしきい値−ＴＨＲ２よりも小さい場合、平行化補正ゲイン制御回路９は、平行化補正デジタル信号ＰＬの値を増加させ（ステップＳ１４）、ステップＳ１１に戻る。この場合、平行化補正ゲイン制御回路９は、平行化補正デジタル信号ＰＬをＤ／Ａ変換器１０に与える。Ｄ／Ａ変換器１０は、与えられた平行化補正デジタル信号ＰＬをアナログ電圧ＰＡに変換し、平行化補正回路３０に与える。それにより、第２ののこぎり波電流ＨＩの振幅が増加する。
【００９２】
ステップＳ１２において、判定値Ｘが負のしきい値−ＴＨＲ２以上の場合、平行化補正ゲイン制御回路９は、ステップＳ１１に戻る。
【００９３】
このようにして、階段波成分ＳＴを図９（ａ）に実線で示すように水平に補正し、図９（ｃ）に示すように走査線を平行にすることができる。
【００９４】
本実施の形態においては、判定位置ＰＯＳ１，ＰＯＳ２，ＰＯＳ３を各走査線における左側に設定したが、各走査線の水平方向において同じ位置であれば中心点を除く任意の位置に設定することができる。なお、判定位置ＰＯＳ１，ＰＯＳ２，ＰＯＳ３を各走査線の中心点よりも右側に設定した場合、図１０のステップＳ１３で平行化補正デジタル信号ＰＬの値を増加させ、ステップＳ１４で平行化補正デジタル信号ＰＬの値を減少させる。
【００９５】
本実施の形態においては、のこぎり波電圧発生回路１および平行化補正回路３０が垂直偏向電流供給手段に相当し、垂直電流検出センサ４が電流波形検出手段に相当し、クロストーク／階段波分割回路７が波形分割手段に相当し、クロスキャンセル位相ゲイン制御回路８が修正手段に相当し、平行化補正ゲイン制御回路９が補正手段に相当し、第１の遅延回路３５および第２の遅延回路３６が遅延手段に相当し、クロスキャンセル位相ゲイン制御回路８および平行化補正ゲイン制御回路９が抽出手段に相当し、水平電流検出センサ１５、積分回路１６、Ａ／Ｄ変換器１７および波形処理部１８が修正電流発生手段に相当し、水平電流検出センサ１５が磁界波形検出手段に相当し、波形処理部１８が修正波形生成手段に相当し、クロストーク補正回路２０が修正電流重畳手段に相当し、波形処理部１８が振幅位相調整手段に相当し、増幅器２が第１の電流供給手段に相当し、増幅器２２が第２の電流供給手段に相当し、平行化補正ゲイン制御回路９が振幅補正手段に相当する。
【００９６】
【発明の効果】
本発明に係る垂直偏向回路においては、垂直偏向電流供給手段により発生された垂直走査周期で略のこぎり波状に変化しかつ水平走査周期で階段状に変化する垂直偏向電流が、垂直偏向コイルに供給され、電流波形検出手段により垂直偏向電流波形として検出される。その後、検出された垂直偏向電流波形は、波形分割手段により水平走査周期に相当する段差を有する階段波成分と水平偏向磁界により重畳されるクロストーク成分とに分割される。修正手段は、クロストーク成分が所定値以下となるように垂直偏向電流供給手段により発生される垂直偏向電流を修正する。一方、補正手段は、階段波成分の各段差の略水平部が水平になるように垂直偏向電流供給手段により発生される垂直偏向電流を補正する。
【００９７】
したがって、調整作業を行うことなく、水平偏向磁界により垂直偏向コイルに誘導される電流成分を正確に打ち消すことができるとともに往路および復路の走査線を正確に平行にすることが可能である。
【図面の簡単な説明】
【図１】本発明の実施の形態における垂直偏向回路を備えた映像表示装置の構成を示すブロック図
【図２】本発明の実施の形態における垂直偏向回路の詳細な構成を示すブロック図
【図３】図２の垂直偏向回路の動作を説明するための各部の波形図
【図４】サンプルフォールド回路の構成および動作を説明する図
【図５】クロストーク／階段波分割回路の詳細な構成を示すブロック図
【図６】図５のクロストーク／階段波分割回路の動作を示す各部の波形図
【図７】クロスキャンセル位相ゲイン制御回路の動作を説明するための各部の波形図
【図８】クロスキャンセル位相ゲイン制御回路の動作を示すフローチャート
【図９】図２の平行化補正ゲイン制御回路における平行化の補正を説明するための図
【図１０】図２の平行化補正ゲイン制御回路９の動作を示すフローチャート
【図１１】往復偏向方式を示す図
【図１２】往路の走査線と復路の走査線とを平行化するための垂直偏向電流を説明する波形図
【符号の説明】
１  のこぎり波電圧発生回路
２，２２  増幅器
３  垂直偏向コイル
４  垂直電流検出センサ
５  サンプルフォールド回路
６，１７  Ａ／Ｄ変換器
７  クロストーク／階段波分割回路
８  クロスキャンセル位相ゲイン制御回路
９  平行化補正ゲイン制御回路
１０，１９  Ｄ／Ａ変換器
１５  水平電流検出センサ
１６  積分回路
１８  波形処理部
２０  クロストーク補正回路
２５  水平偏向コイル
３０  平行化補正回路
３５  第１の遅延回路
３６  第２の遅延回路
１００  映像信号処理回路
２００  水平偏向回路
３００  垂直偏向回路
ＣＡ  クロスキャンセル成分
ＣＲ  クロストーク成分
ＧＣ  ゲイン制御信号
ＰＣ  位相制御信号
ＲＣ  残留クロストーク成分
ＳＴ  階段波成分
【図１】
2004282521.tif 000003
【図２】
2004282521.tif 000004
【図３】
2004282521.tif 000005
【図４】
2004282521.tif 000006
【図５】
2004282521.tif 000007
【図６】
2004282521.tif 000008
【図７】
2004282521.tif 000009
【図８】
2004282521.tif 000010
【図９】
2004282521.tif 000011
【図１０】
2004282521.tif 000012
【図１１】
2004282521.tif 000013
【図１２】
2004282521.tif 000014